(57)【特許請求の範囲】
【請求項１】
児を収容するための児収容室内へ供給される供給空気を、前記児収容室の床板の下面と該床板の下方に設けられる基台との間に形成される流通路から、前記児収容室の左右側壁に沿って線状に開口する吹出し口を経由させて、前記児収容室内に提供する空調機構を備える保育器であって、前記基台の上面における左右方向の中央付近に凹溝状の中央通路が形成されるとともに、該中央通路の周囲に、前記中央通路より浅い棚部が前記中央通路の側面に繋がるように形成されており、
前記流通路は、前記中央通路と、前記供給空気を前記中央通路の下流で該中央通路の左右側に分岐して前記棚部の上方に向ける分岐部と、前記棚部の上面と前記床板の下面との間に前記中央通路の両側部に沿って該中央通路と並列に形成され、前記分岐部から分岐され前記中央通路の流れに沿って下流側に流れる供給空気の一部を前記中央通路の流れと逆方向に向けて誘導する折返し流路と、前記基台の上面と前記床板の下面との間の隙間により形成され、前記分岐部から分岐され前記棚部上を前記中央通路の流れに沿って下流側に流された供給空気及び前記折返し流路で折り返された供給空気を、前記分岐部及び前記折返し流路の下流側でそれぞれ流入する入口開口部を有し、該入口開口部から流入した供給空気を前記吹出し口まで案内する偏平流路と、該偏平流路内の流れを前記吹出し口の長さ方向に沿って均一化する流通制御手段とを備え、
前記流通制御手段は、前記偏平流路の前記入口開口部において前記中央通路の下流側に配置される前方側開口部に、前記入口開口部において前記中央通路の上流側に配置される後方側開口部に比べて前記前方側開口部を狭く設定する凸条部を有していることを特徴とする保育器。
【請求項２】
前記流通制御手段は、前記中央通路の上流側と前記折返し流路との間をほぼ閉鎖状態とする閉鎖部を有していることを特徴とする請求項１記載の保育器。
【請求項３】
前記流通制御手段は、前記折返し流路において前記偏平流路の前記入口開口部までの間の少なくとも一部の流路断面積を大きくする空間部を有しており、該空間部により前記折返し流路内の前記供給空気を前記偏平流路の前記後方側開口部に多く案内することを特徴とする請求項２記載の保育器。
【請求項４】
前記分岐部は、前記中央通路内を流れる供給空気の一部を前記中央通路の左右方向に分岐しつつ前記折返し流路に向ける前段分岐部と、該前段分岐部より下流位置で供給空気を左右方向に分岐する後段分岐部との二段構成とされていることを特徴とする請求項１から３のいずれか一項に記載の保育器。
【請求項５】
前記空間部は、前記前段分岐部により分岐され前記折返し流路に向けられた供給空気を受け入れ可能な位置に設けられていることを特徴とする請求項４に記載の保育器。
【発明の詳細な説明】
【技術分野】
【０００１】
本発明は、児を収容する児収容室内の温度環境を制御するための機能を有する保育器に関するものである。
【背景技術】
【０００２】
児を外気から隔離して最適な環境で保護育成するために、保育器では、空調機構の作動により外気を濾過して保育器内部に取り込んで児収容室内の換気を行うとともに、ヒータ機構で空気を温めながら循環させて児収容室内の温度環境を維持するようにしている。また、その空調機構の作動は、児にストレスを与えないように、静かでなければならない。
【０００３】
ところで、児収容室内の児をケアするには、児収容室の左右に設けられた処置扉や手入れ窓を開放して行うが、この際にも、児にストレスを与えないように、児収容室内の温度変化を少なくすることが求められる。
そこで、特許文献１及び特許文献２に開示される保育器では、保育器内の流路から送風される循環空気を、収容室内の児の左右側に沿って設けられた吹出し口から噴出することによりエアーカーテンを形成し、このエアーカーテンによって保育器の内側と外側との空気の入れ替わりを抑制して、児のケア時においても児収容室内の温度が大幅に変化することを防止している。
【先行技術文献】
【特許文献】
【０００４】
【特許文献１】特開平９‐２８５５０５号公報
【特許文献２】特開２００６‐２０４４９６号公報
【発明の概要】
【発明が解決しようとする課題】
【０００５】
特許文献１及び特許文献２に開示されているように、エアーカーテンによって保育器の内側と外側との空気の入れ替わりを抑制することは有効であるが、そのためには、空気の流れを処置扉に沿って均一に生じさせる必要がある。また、空調機構の静音化対策も求められおり、さらなる改善が望まれている。
【０００６】
本発明は、このような事情に鑑みてなされたものであって、児のケア時においても児収容室内の温度環境を最適な状態に維持するとともに、静音化を図ることができる保育器を提供することを目的とする。
【課題を解決するための手段】
【０００７】
本発明は、児を収容するための児収容室内へ供給される供給空気を、前記児収容室の床板の下面と該床板の下方に設けられる基台との間に形成される流通路から、前記児収容室の左右側壁に沿って線状に開口する吹出し口を経由させて、前記児収容室内に提供する空調機構を備える保育器であって、前記基台の上面における左右方向の中央付近に凹溝状の中央通路が形成されるとともに、該中央通路の周囲に、前記中央通路より浅い棚部が前記中央通路の側面に繋がるように形成されており、前記流通路は、前記中央通路と、前記供給空気を前記中央通路の下流で該中央通路の左右側に分岐して前記棚部の上方に向ける分岐部と、前記棚部の上面と前記床板の下面との間に前記中央通路の両側部に沿って該中央通路と並列に形成され、前記分岐部から分岐され前記中央通路の流れに沿って下流側に流れる供給空気の一部を前記中央通路の流れと逆方向に向けて誘導する折返し流路と、前記基台の上面と前記床板の下面との間の隙間により形成され、前記分岐部から分岐され前記棚部上を前記中央通路の流れに沿って下流側に流された供給空気及び前記折返し流路で折り返された供給空気を、前記分岐部及び前記折返し流路の下流側でそれぞれ流入する入口開口部を有し、該入口開口部から流入した供給空気を前記吹出し口まで案内する偏平流路と、該偏平流路内の流れを前記吹出し口の長さ方向に沿って均一化する流通制御手段とを備え、前記流通制御手段は、前記偏平流路の前記入口開口部において前記中央通路の下流側に配置される前方側開口部に、前記入口開口部において前記中央通路の上流側に配置される後方側開口部に比べて前記前方側開口部を狭く設定する凸条部を有していることを特徴とする。
【０００８】
中央通路内を流れる供給空気は、分岐部によって左右方向に分岐されるとともに、その一部が折返し流路により中央通路の流れと逆方向に流され、偏平流路において流通制御手段により吹出し口の長さ方向に沿って均一化されることにより、その均一化された供給空気を吹出し口から噴出させることができる。したがって、均一なエアーカーテンを形成することができ、児のケア時において、手入れ窓を開放状態とした際にも、児収容室内の温度環境を適切な状態に維持することができる。
また、上記のように流通路を形成することにより、供給空気が流れる方向を大きく変更することなく、供給空気の流れを段階的に変化させるようにしているので、供給空気の流れに対する抵抗を小さくすることができ、静音化を図ることができる。
【０００９】
本発明の保育器において、分岐部で分岐された供給空気は、中央通路の流れに沿って中央通路の下流側に流され易くなっているが、中央通路の下流側に配置される偏平流路の前方側開口部を、後方側開口部よりも狭く設定することによって、分岐後の供給空気を中央通路内の流れとは逆方向に流れ易くすることができ、偏平流路の入口開口部に流れ込む供給空気の流れを、前方側開口部から後方側開口部にかけて均一化することができる。
【００１０】
本発明の保育器において、前記流通制御手段は、前記中央通路の上流側と前記折返し流路との間をほぼ閉鎖状態とする閉鎖部を有している。
中央通路内を流れる供給空気は、その下流側の分岐部に向けて流されて、一部が折返し流路に導出される。この際、中央通路の上流側と折返し流路は、閉鎖部によってほぼ閉鎖状態とされているので、中央通路内の供給空気が上流側で折返し流路に流れてしまうことを抑制し、中央通路から折返し流路を経由して偏平流路の入口開口部に向けて安定して送風することができる。
【００１１】
本発明の保育器において、前記流通制御手段は、前記折返し流路において前記偏平流路の前記入口開口部までの間の少なくとも一部の流路断面積を大きくする空間部を有しており、該空間部により前記折返し流路内の前記供給空気を前記偏平流路の前記後方側開口部に多く案内する。
空間部を設けて分岐された供給空気の一部を中央通路の上流側に向けて案内することにより、供給空気の流れを偏平流路の入口開口部の長さ方向に沿って均一化させ易くなる。
【００１２】
本発明の保育器において、前記分岐部は、前記中央通路内を流れる供給空気の一部を前記中央通路の左右方向に分岐しつつ前記折返し流路に向ける前段分岐部と、該前段分岐部より下流位置で供給空気を左右方向に分岐する後段分岐部との二段構成とされている。
供給空気の一部を早い段階で分岐することで、中央通路内の流れと逆方向の流れの中に中央通路の上流側で多くの供給空気を供給することができる。これにより、供給空気が到達しにくい偏平流路の中央通路上流側にも円滑に供給空気を供給でき、供給空気の流れを偏平流路の入口開口部の長さ方向に沿って均一化することができる。
【００１３】
本発明の保育器において、前記空間部は、前記前段分岐部により分岐され前記折返し流路に向けられた供給空気を受け入れ可能な位置に設けられているとよい。
前段分岐部により分岐された供給空気を受け入れ可能な位置に設けておくことで、早い段階で供給空気の流れを中央通路の上流側に向けて誘導させることができる。したがって、偏平流路の入口開口部に流れる供給空気の流れを、前方側開口部から後方側開口部にかけて均一化させ易くなる。
【発明の効果】
【００１４】
本発明の保育器によれば、吹出し口の長さ方向に沿って供給空気の流れを均一化して、均一なエアーカーテンを形成することができるので、児のケア時においても児収容室内の温度環境を最適な状態に維持することができる。また、供給空気の流れをスムーズにして抵抗を小さくできるので、静音化を図ることができる。
【図面の簡単な説明】
【００１５】
【図１】本発明の一実施形態の保育器における供給空気の流れを説明する斜視図であり、（ａ）が通路を露出させた状態であり、（ｂ）が中床を被せた状態である。
【図２】図１（ｂ）のＡ‐Ａ線に沿う断面図である。
【図３】図２のＢ‐Ｂ線に沿う要部断面図である。
【図４】図３のＣ‐Ｃ線に沿う要部断面図である。
【図５】図３のＤ‐Ｄ線に沿う要部断面図である。
【図６】床板の下面図である。
【図７】保育器の全体斜視図である。
【図８】保育器の左側処置扉を正面視した正面図である。
【図９】図８に対する右側面図である。
【図１０】図８に示す状態から左側処置扉を開けた状態を示す正面図である。
【図１１】図９に示す状態からキャノピー及び加熱器を上昇させた状態を示す斜視図である。
【発明を実施するための形態】
【００１６】
以下、本発明の保育器の一実施形態について説明する。
［保育器の全体構成］
保育器１は、図７〜図１０に全体を示したように、キャスター２により移動自在な架台３と、この架台３の上に垂直に立設された支柱４と、この支柱４の上端に設けられたフレーム５と、このフレーム５の上に設置された基台６と、この基台６の上に設けられ児収容室７を囲むフード８と、フレーム５の一端部でフード８の側方位置に垂直に設けられた２本のガイド柱９，１０と、これらガイド柱の一方（ガイド柱１０）の上端に設けられた加熱器１１とを備えており、ガイド柱の他方（ガイド柱９）の上端には、フード８の天井を構成するキャノピー（天蓋）１２が取り付けられている。
支柱４は内部にフレーム５を上下移動する昇降機構を内蔵しており、架台３の側部に、昇降機構を操作するためのペダル１３が設けられている。
【００１７】
フード８は、児を寝かせる臥床台１５が設置される床板１６と、児の左右側に配置される左側処置扉１７及び右側処置扉１８と、児の足側に配置される足側処置扉１９と、児の頭側に配置される頭側処置扉２０と、これら左右側処置扉１７，１８、足側処置扉１９及び頭側処置扉２０により囲まれた児収容室７の上方を閉塞するキャノピー１２とにより、ほぼ直方体状に構成される。左側処置扉１７、右側処置扉１８、足側処置扉１９、頭側処置扉２０及びキャノピー１２は、ほぼ全体が透明樹脂によって構成されており、外部から児収容室７内の児を目視確認できる。
また、図７〜図１０ではキャノピー１２を下降させてフード８を閉じた状態、図１１はキャノピー１２を上昇させて児収容室７の上方を開放した状態を示している。また、この図１１においては、加熱器１１も上昇させ、児収容室７を加熱した状態を示している。
このように、この保育器１は、図７〜図１０に示す閉鎖型保育器、及び図１１に示す開放型保育器の両方の形態の機能を有している。
【００１８】
各処置扉１７〜２０のうち、頭側処置扉２０は、児収容室７の頭側に立設した垂直姿勢に維持される。これに対して、左右側処置扉１７，１８及び足側処置扉１９は、その下端部が基台６に対して水平な軸（図示略）を中心に揺動自在に取り付けられている。閉鎖型保育器として使用する場合は、各処置扉１７〜１９とも閉鎖した状態とされ、児のケアのために左右側処置扉１７，１８を開閉する。図１０は閉鎖時に左側処置扉１７を回動させて、児収容室７の一側方を開放状態としている。開放型保育器として使用する場合は、左側処置扉１７、右側処置扉１８及び足側処置扉１９の三方を開閉することができる。
【００１９】
さらに、左側処置扉１７、右側処置扉１８及び足側処置扉１９には手入れ窓ユニット２５，２６が設けられ、閉鎖型保育器として使用する際に、処置扉１７〜１９を起立させた状態のまま手入れ窓２７を手入れ扉２８，２９により開閉することができるようになっている。頭側処置扉２０には、ケーブルやチューブ等を挿通させるためのスリットを有するグロメット部材３０が取り付けられている。
【００２０】
また、児収容室７内の床板１６の上には、児を載せる臥床台１５が設けられている。この臥床台１５は、長さ方向の中央部が水平な回転軸５１により揺動自在に支持されるとともに、頭側の一端部が昇降機構３１に支持され、この一端部を持ち上げることにより、水平方向に対して傾斜した姿勢に保持できるようになっている。その昇降機構３１は、フード８の外側に設けられる。
そして、基台６上には、図２に示すように、臥床台１５の回転軸５１の両端部と嵌合するガイド溝が形成された一対の受け台５２が、上方に向けて突出して設けられている。この受け台５２は、基台６の上面を覆うように配置される床板１６を貫通して設けられており、床板１６は、臥床台１５の下方に配置され、児収容室７の底面を形成している。これにより、臥床台１５は、児収容室７内で揺動自在に支持されるようになっている。
【００２１】
ガイド柱９，１０は、同軸上にロッド３２が収容され、このロッド３２を上下移動させる昇降機構が内蔵されている。キャノピー１２は、ガイド柱９のロッド３２の上端に取り付けられており、その下降位置で各処置扉１７〜２０の上端に当接して児収容室７を閉鎖し、上昇位置では、図１１に示すように、処置扉１７〜２０から児の処置のための十分な間隔を明けて退避できるようになっている。加熱器１１は、他方のガイド柱１０のロッド（図には見えないが、図１１のガイド柱９と同様に設けられる）の上端に水平な軸３３を中心に回動可能に取り付けられており、その下降位置では、図７等に示すように、ガイド柱１０とほぼ平行な垂直方向に折り畳まれた収納姿勢とされ、上昇位置では、垂直方向に対して所定の角度に起こされて児収容室７に上方から熱線を供給する加熱姿勢とされる。
【００２２】
［空調機構の構成］
図１及び図２は、基台６に設けられた空調機構６０を示している。この空調機構６０は、供給空気を、児収容室７の下方に設けられる基台６上の流通路６１から、左右側処置扉１７，１８（本発明でいう、左右側壁）に沿って線状に開口する吹出し口６２を経由させて、児収容室７内に供給するものである。なお、図１（ａ）は、図１（ｂ）に示す床板１６及びファンカバー６７を取り外して流通路６１の上方を開放した状態を示している。
【００２３】
図１（ｂ）に示すように、基台６の上面が床板１６で覆われた状態では、この基台６の上面と床板１６の下面との間に形成された流通路６１内を通過した供給空気は、図１（ａ）に示す実線矢印のように児収容室７の左右側に向けて送風される。そして、児収容室７の左側処置扉１７及び右側処置扉１８は、図３に示すように、内壁１７ａ，１８ａと外壁１７ｂ，１８ｂとを備える二重壁構造の構成とされており、これら内壁１７ａ，１８ａと外壁１７ｂ，１８ｂとの間に、流通路６１内から送風される供給空気を下方から上方に向けて流して児収容室７内に供給するようにしている。
【００２４】
流通路６１は、図１から図４に示すように、基台６の上面における左右方向の中央付近に形成された凹溝状の中央通路６３と、供給空気を中央通路６３の下流で、その中央通路６３の左右側に分岐する分岐部６４と、中央通路６３の両側部に沿って形成され、分岐部６４から分岐された供給空気の一部を中央通路６３の上流側に向けて誘導する折返し流路６５と、基台６の上面とその基台６に被せされる床板１６の下面との間の隙間により形成され、折返し流路６５からの供給空気を吹出し口６２まで案内する偏平流路６８と、その偏平流路６８内の流れを吹出し口６２の長さ方向に沿って均一化する流通制御手段６９とを備え、中央通路６３の中心位置を境に左右対称に形成されている。
なお、図６は、基台６の上面を覆う床板１６の下面図を示しており、図中の符号６３ｔ，６４ｔ，６８ｔ，９５ｔは、それぞれ流通路６１を形成する通路上側の面を示している。図中の符号６３ｔは中央通路６３の上側面、符号６４ｔは分岐部６４の上側面、符号６８ｔは偏平流路６８の上側面を示し、符号９５ｔは後述する空間部９５の上側面を示す。
【００２５】
中央通路６３内には、送風機構７１及びヒータ機構４１が備えられており、図１及び図２に実線矢印で示すように、送風機構７１によって中央通路６３内に供給空気を流しながら、ヒータ機構４１により供給空気を温めて児収容室７内へ供給することで、児収容室７内の温度環境を制御することができる。
また、中央通路６３の周囲には、中央通路６３より浅い棚部８５が中央通路６３を囲むように形成されている。基台６上に床板１６が覆い被さると、中央通路６３の上流側（後述する前段分岐部６４Ａより上流側）の上部は、床板１６に形成された上側面６３ｔにより上方がほぼ塞がれるとともに、後述する閉鎖部９３によって折返し流路６５との間が閉鎖された状態となり、中央通路６３の下流側が、棚部８５と床板１６の下面との間に形成される折返し流路６５に連通した状態とされる。そして、供給空気の流れは、中央通路６３に沿って流される間に、中央通路６３の下流側で、その一部が折返し流路６５に導出されながら分岐部６４に向けて流されるようになっている。
また、供給空気は、外気取入口（図示略）から流入口６６を経由して保育器１の内部に取り込まれた外気（図に示す破線矢印）、及び児収容室７内からの循環空気（図に示す実線矢印）が混合されて、床板１６の開口部７１ｈから中央通路６３内に取り込まれ、児収容室７内に供給されるようになっている。
【００２６】
流通路６１には、図２から図６に示すように、流通制御手段６９として、偏平流路６８の入口開口部８１に、吹出し口６２に沿って線状に形成され、中央通路６３の上流側に配置される後方側開口部８２に比べて下流側に配置される前方側開口部８３を狭く設定する凸条部９１と、中央通路６３の上流側で中央通路６３と折返し流路６５との間をほぼ閉鎖状態とする閉鎖部９３と、床板１６の下面に中央通路６３の両側部に沿って形成され、分岐部６４から分岐された供給空気の一部を中央通路６３の上流側に向けて誘導しながら偏平流路６８に案内する空間部９５との、３つの手段が設けられている。
【００２７】
凸条部９１は、図５に示すように、入口開口部８１の後方側開口部８２部分には形成されず、下流側にのみ形成されている。また、床板１６の下面からの突出高さｔ１，ｔ２も、入口開口部８１の前方側から後方側の途中位置にかけて漸次低くなるように形成され、これにより、後方側開口部８２に比べて前方側開口部８３が狭く設定されている。
【００２８】
閉鎖部９３は、図６に示すように、床板１６の下面に、中央通路６３の溝を形成している開口端に沿う線状に形成されており、中央通路６３の開口端に対向配置されることにより、上流側の中央通路６３を折返し流路６５に対して閉鎖状態とする。
なお、図６に示すハッチング領域Ｅは、閉鎖部９３より低いが、他の部分より高く突出しており、基台６の上面に覆い被さった状態では、折返し流路６５の一部の高さ（断面積）を小さくして、供給空気を後方側開口部８２に導くガイドとなる。
【００２９】
分岐部６４は、中央通路６３内の供給空気の一部を、その中央通路６３の左右方向に分岐しつつ上方に向ける前段分岐部６４Ａと、前段分岐部６４Ａより下流位置で供給空気を左右方向に分岐する後段分岐部６４Ｂとの二段構成とされ、中央通路６３から流れる供給空気は、これら二段構成の分岐部６４Ａ，６４Ｂで段階的に分岐される構成とされている。
【００３０】
また、空間部９５は、前段分岐部６４Ａにより分岐された供給空気を受け入れ可能な位置に設けられており、図３及び図４に示すように、折返し流路６５の少なくとも一部の流路断面積を大きくするように形成され、折返し流路６５に沿って上方に突出した空間により形成されている。そして、空間部９５は、偏平流路６８の入口開口部８１の中間位置付近が最も大きな空間に設定され、偏平流路６８の後方側開口部８２及び前方側開口部８３に向かうにつれて空間が漸次小さく設定されることにより、山状の空間に形成されている。
【００３１】
このように構成される流通路６１では、中央通路６３内を流れる供給空気は、図１（ａ）に示されるように、分岐部６４によって左右方向に分岐されるとともに、その一部が折返し流路６５により中央通路６３の流れと逆方向に流され、偏平流路６８において吹出し口６２の長さ方向に沿って均一化されることにより、その均一化された供給空気を吹出し口６２から噴出させることができる。
【００３２】
また上述したように、中央通路６３の上流側は、閉鎖部９３により、並列して配置される折返し流路６５に対してほぼ閉鎖状態とされ、この中央通路６３内を流れる供給空気は、その下流側の分岐部６４に向けて流され、一部が折返し流路６５に導出されるようになっている。このため、中央通路６３内の供給空気が上流側で折返し流路６５に流れてしまうことが抑制される。また逆に、折返し流路６５内の供給空気は、中央通路６３の上流側の供給空気との接触が抑制される。したがって、折返し流路６５内を流れる供給空気を、偏平流路６８の入口開口部８１に向けて安定して送風することができる。
また、分岐部６４で分岐された供給空気は、中央通路６３の流れに沿って下流側に流され易くなっているが、中央通路６３の下流側に配置される偏平流路６８の前方側開口部８３を、後方側開口部８２よりも狭く設定することで、分岐後の供給空気を中央通路６３内の流れとは逆方向に流れ易くすることができる。したがって、偏平流路６８の入口開口部８１に流れ込む供給空気の流れを、前方側開口部８３から後方側開口部８２にかけて均一化することができる。
【００３３】
さらに、分岐部６４は、前段分岐部６４Ａと後段分岐部６４Ｂとで構成され、中央通路６３を流れて前段分岐部６４Ａで分岐された供給空気の一部は、折返し流路６５に乗り上げられた後、偏平流路６８に少量ずつ流入しながら、空間部９５により中央通路６３の上流側に案内されるようになっている。また、その一方で、前段分岐部６４Ａを通過して後段分岐部６４Ｂに至った供給空気は、後段分岐部６４Ｂから折返し流路６５に流通され、偏平流路６８に少量ずつ流入しながら前段分岐部６４Ａからの供給空気と合流して空間部９５により上流側に案内されるようになっている。
前段分岐部６４Ａによって供給空気の一部を早い段階で分岐するとともに、空間部９５により早い段階で供給空気の流れを中央通路６３の上流側に向けて誘導することで、中央通路６３内の流れと逆方向の流れの中に、中央通路６３の上流側で多くの供給空気を供給することができ、供給空気が到達しにくい偏平流路６８の後方側開口部８２（中央通路６３の上流側）にも円滑に供給空気を供給でき、供給空気の流れを偏平流路６８の入口開口部８１の長さ方向に沿って均一化することができる。
【００３４】
このように、流通路６１内を流れる供給空気は、吹出し口６２の長さ方向に沿って均一化され、均一化された供給空気を吹出し口６２から噴出させることができる。したがって、均一なエアーカーテンを形成することができ、児のケア時において、手入れ窓２７を開放状態とした際にも、児収容室７内の温度環境を適切な状態に維持することができる。
また、上記のように流通路６１を形成することにより、供給空気が流れる方向を大きく変更することなく、供給空気の流れを段階的に変化させるようにしているので、供給空気の流れに対する抵抗を小さくすることができ、静音化を図ることができる。
【００３５】
なお、本発明は前記実施形態の構成のものに限定されるものではなく、細部構成においては、本発明の趣旨を逸脱しない範囲において種々の変更を加えることが可能である。
【符号の説明】
【００３６】
１  保育器
２  キャスター
３  架台
４  支柱
５  フレーム
６  基台
７  児収容室
８  フード
９，１０  ガイド柱
１１  加熱器
１２  キャノピー
１３  ペダル
１５  臥床台
１６  床板
１７  左側処置扉
１８  右側処置扉
１９  足側処置扉
２０  頭側処置扉
２５，２６  手入れ窓ユニット
２７  手入れ窓
２８，２９  手入れ扉
３０  グロメット部材
３１  昇降機構
３２  ロッド
３３  軸
４１  ヒータ機構
５１  回転軸
５２  受け台
６０  空調機構
６１  流通路
６２  吹出し口
６３  中央通路
６４  分岐部
６４Ａ  前段分岐部
６４Ｂ  後段分岐部
６５  折返し流路
６６  外気流入口
６７  ファンカバー
６８  偏平流路
６９  流通制御手段
７１  送風機構
８１  入口開口部
８２  後方側開口部
８３  前方側開口部
８５  棚部
９１  凸条部
９３  閉鎖部
９５  空間部
【図１】
0006026144.tif 000002
【図２】
0006026144.tif 000003
【図３】
0006026144.tif 000004
【図４】
0006026144.tif 000005
【図５】
0006026144.tif 000006
【図６】
0006026144.tif 000007
【図７】
0006026144.tif 000008
【図８】
0006026144.tif 000009
【図９】
0006026144.tif 000010
【図１０】
0006026144.tif 000011
【図１１】
0006026144.tif 000012